(57)【特許請求の範囲】
【請求項１】
入力された情報をＴＴＩ（発信元名称記録情報）として登録するＴＴＩ登録手段と、
他のファクシミリ装置と通信回線を介して画像データの送受信を行うデータ送受信手段と、
該データ送受信手段が他のファクシミリ装置に画像データの送信を行う際、前記ＴＴＩを当該画像データに付加する情報付加手段と、
入力された前記情報に数字が含まれているか否かを判定する判定手段と、
入力された前記情報に数字が含まれていない場合に、前記情報に自局番号を含ませて入力することを操作者に促す入力指示手段と
を有し、
前記ＴＴＩ登録手段は、入力された前記情報に数字が含まれている場合にのみ、前記情報をＴＴＩとして登録することを特徴とするファクシミリ装置。
【請求項２】
ＴＴＩ（発信元名称記録情報）として登録する情報を入力し、
入力された前記情報に数字が含まれているか否かを判定し、
入力された前記情報に数字が含まれていない場合に、前記情報に自局番号を含ませて入力することを操作者に促し、
入力された前記情報に数字が含まれている場合にのみ、前記情報をＴＴＩ（発信元名称記録情報）として登録することを特徴とするファクシミリ装置の制御方法。
【発明の詳細な説明】
【０００１】
【発明の属する技術分野】
本発明はファクシミリ装置に係り、特にファクシミリ送受信に関する認可条件に対応するためのＴＴＩ（Ｔｒａｎｓｍｉｔｔｅｒ Ｔｅｒｍｉｎａｌ Ｉｄｅｎｔｉｆｉｃａｔｉｏｎ；発信元名称記録）登録機能を備えたファクシミリ装置に関する。
【０００２】
【従来の技術】
一般的に、ファクシミリ装置には、例えば、送信側から受信側に送信側の名称や電話番号などの識別情報（相手先でのコピー時に印字される情報）を送出するＴＴＩ機能、受信側の名称や電話番号などを送信側に通知するＲＴＩ（Ｒｅｃｅｉｖｅ Ｔｅｒｍｉｎａｌ Ｉｄｅｎｔｉｆｉｃａｔｉｏｎ）機能、ファクシミリ通信を行った日時、送信結果などの管理レポートを出力する機能などが設けられている。近年、通信網の発達に伴い、このような機能を有するファクシミリ装置による外国とのファクシミリ通信が日常的に行われるようになっている。ファクシミリ通信に関して、各国で独自の認可条件が制定されている。例えば、アメリカ合衆国では、ＴＴＩに必ず自局番号を含めて設定することが規定されている。
【０００３】
【発明が解決しようとする課題】
ＴＴＩ登録時に事前に自局番号を設定する作業は、ユーザが行う設定作業であり、ユーザが設定を行わなかった場合、正常なファクシミリ通信を行えないことがある。また、ユーザ自身が各国の認可条件毎に設定変更を行うことは面倒な作業である。
【０００４】
さらには、中継依頼送信機能が設けられていないファクシミリ装置は自局番号の登録機能を有していない機種がある。中継依頼送信とは、遠隔地にある複数のファクシミリ装置に送信する際に、当該遠隔地に近い位置にある中継用ファクシミリ装置に送信データを転送し、中継用ファクシミリ装置から複数のファクシミリ装置の各々に送信する機能である。この際、中継用ファクシミリ装置から送信したことを報告するレポートを、送信を依頼したファクシミリ装置に送信する必要がある。このため、送信を依頼するファクシミリ装置は、自局番号を中継ファクシミリ装置に通知する必要があり、自局番号の登録機能を必ず有している。ところが、中継依頼送信機能が設けられていないファクシミリ装置には、自局番号を送信する必要はなく、自局番号の登録機能を有していない場合がある。
【０００５】
また、ＩＳＤＮ専用ファクシミリ装置やＧ４ファクシミリ装置は、ＣＳＩ（国際識別番号、被呼端末識別）登録機能が設けられていない。したがって、このような機種の場合にはＴＴＩ登録を行うことができない。
【０００６】
そこで、本発明では、ＴＴＩ登録に関する操作性を向上するために、事前にファクシミリ装置に入力されている情報に基づき、自局番号を含めたＴＴＩを自動的に作成することを提案する。
【０００７】
すなわち、本発明の第１の目的は、認可規格を取得するために発信元記録印字に自局番号を含めることができるファクシミリ装置を提供することである。
【０００８】
本発明の第２の目的は、別途入力される自局番号を必須とし、ＴＴＩはこの自局番号を強制的にセットして残りの文字数をユーザに入力させることができるファクシミリ装置を提供することである。
【０００９】
本発明の第３の目的は、自局番号登録機能がない機種の場合、別途入力されるＣＳＩを必須とし、ＴＴＩはこのＣＳＩを強制的にセットして残りの文字数をユーザに入力させることにより、ＴＴＩに必ず自局番号が入るようにし、設定なしということによる認可上の不具合を防止することができるファクシミリ装置を提供することである。
【００１０】
本発明の第４の目的は、自局番号登録機能がない機種の場合、別途入力されるＧ４ＴＩＤ（Ｇ４ Ｔｅｒｍｉｎａｌ Ｉｄｅｎｔｉｆｉｃａｔｉｏｎ）を必須とし、ＴＴＩはこのＧ４ＴＩＤを強制的にセットして残りの文字数をユーザに入力させることにより、ＴＴＩに必ず自局番号が入るようにし、設定なしということによる認可上の不具合を防止することができるファクシミリ装置を提供することである。
【００１１】
本発明の第５の目的は、自局番号登録機能がない機種の場合、別途入力される加入者番号を必須とし、ＴＴＩはこの加入者番号を強制的にセットして残りの文字数をユーザに入力させることにより、ＴＴＩに必ず自局番号が入るようにし、設定なしということによる認可上の不具合を防止することができるファクシミリ装置を提供することである。
【００１２】
【課題を解決するための手段】
請求項１記載の発明は、入力された情報をＴＴＩ（発信元名称記録情報）として登録するＴＴＩ登録手段と、他のファクシミリ装置と通信回線を介して画像データの送受信を行うデータ送受信手段と、該データ送受信手段が他のファクシミリ装置に画像データの送信を行う際、前記ＴＴＩを当該画像データに付加する情報付加手段と、入力された前記情報に数字が含まれているか否かを判定する判定手段と、入力された前記情報に数字が含まれていない場合に、前記情報に自局番号を含ませて入力することを操作者に促す入力指示手段とを有し、前記ＴＴＩ登録手段は、入力された前記情報に数字が含まれている場合にのみ、前記情報をＴＴＩとして登録することを特徴とするものである。
【００２０】
請求項２記載の発明は、ファクシミリ装置の制御方法であって、ＴＴＩ（発信元名称記録情報）として登録する情報を入力し、入力された前記情報に数字が含まれているか否かを判定し、入力された前記情報に数字が含まれていない場合に、前記情報に自局番号を含ませて入力することを操作者に促し、入力された前記情報に数字が含まれている場合にのみ、前記情報をＴＴＩ（発信元名称記録情報）として登録することを特徴とするものである。
【００２１】
【発明の実施の形態】
以下、本発明の好適な実施の形態について図１ないし図１２を参照しながら詳細に説明する。
【００２２】
図１は、本実施の形態に係るファクシミリ装置の概略構成を示したブロック図である。本実施の形態のファクシミリ装置は、一例として、システム制御部１を備えている。このシステム制御部１に、システムメモリ（ＤＲＡＭ）２、スキャナ（ＳＣＮ）３、プロッタ４、読出専用メモリ（ＲＯＭ）５、書込可能不揮発メモリ（ＳＲＡＭ）６、網制御部（ＮＣＵ）７、Ｇ３ＦＡＸモデム８、画像メモリ（ＳＡＦ）９、符号化復号化部（ＤＣＲ）１０および操作表示部１１がバスライン１２を介して接続されている。
【００２３】
システム制御部１は、各部２〜１１の制御処理およびファクシミリ電送制御手順を行う。システムメモリ２は、システム制御部１が制御プログラムを実行するときに必要なデータなどを記憶し、ワークエリアとして利用される。
【００２４】
プロッタ４は、スキャナ３によって所定の解像度で読み取られた原稿画像の画像形成を行い、形成した画像またはリスト・レポート類を印刷出力する。読出専用メモリ５は、プログラムや各種テーブルを格納する。書込可能不揮発メモリ６は、システム制御上必要なパラメータやユーザ操作によって得られる登録データを格納する。網制御部７は、ファクシミリ装置を公衆電話回線網に接続する接続部である。網制御部７は自動発信機能を有し、公衆電話回線網を介して接続されている他のファクシミリ装置と画像データの送受信を行う。Ｇ３ＦＡＸモデム８は、グループ３ファクシミリ（Ｇ３規格に準拠したアナログ電話回線用のファクシミリのこと）のモデム機能を実現する。画像メモリ９は、必要に応じて、送信画像や受信画像を格納する。符号化復号化部１０は、生画像（スキャナ３で読みとられた原稿画像に相当する）を定められた符号に圧縮したり、この符号化された画像を元の生画像に伸長したりする。操作表示部１１は、通信操作や登録操作を行う際に使用されるものであり、各種の入力キーや表示器等から構成される。
【００２５】
次に、本実施の形態のファクシミリ装置で自局番号として利用可能な自局番号登録、ＣＳＩ、Ｇ４ＴＩＤ、加入者番号について説明する。図２は、自局番号として登録可能となる各情報を接続回線に応じて示した図である。
【００２６】
図２に示したように、ＰＳＴＮ（公衆交換電話網）の時には、自局番号およびＣＳＩが自局番号登録の対象となる。一方、ＩＳＤＮ（サービス総合ディジタル通信網）のＧ３ファクシミリの場合には、自局番号、ＣＳＩ、加入者番号が自局番号登録の対象となる。ＩＳＤＮのＧ４ファクシミリ（Ｇ４規格に準拠したディジタル回線用のファクシミリのこと）の場合には、自局番号、Ｇ４ＴＩＤ、加入者番号が自局番号登録の対象となる。
【００２７】
自局番号登録では、例えば、００１（国際プリフィクス）８１（国番号）３（０を除いた市外局番）−（ポーズ）１２３４５６７８（加入者番号）を登録する。中継依頼機能が設けられていない機種では自局番号登録が必要ないので、装備していないものとする。ＣＳＩでは、８１（国番号）３（０を除いた市外局番）１２３４５６７８（加入者番号）を登録する。Ｇ４ＴＩＤでは、８１（国番号）−３１２３４５６７８（０を除いた市外局番＋加入者番号）＝ＡＯＹＡＭＡ（端末略号）を登録する。加入者番号では、０３（市外局番）−（ポーズ）１２３４５６７８（加入者番号）を登録する。
【００２８】
次に、画像データのメモリ送信について説明する。図３は、メモリ送信のデータバスでの画像データの流れを示した図である。なお、図中の“生”は生画像データを示し、“圧”は圧縮画像データを示す。
【００２９】
まず、メモリ送信時のデータバスについて説明する。スキャナ３からシステムメモリ２のラインバッファ（ＬＢ）へ画像データの読み込みを行う。符号化復号化部１０（ＤＣ）によって生画像データを圧縮し、画像メモリ９（ＳＡＦ）に蓄積する。時刻指定などを考慮し、発呼時刻になると、送信すべき画像データを画像メモリ９（ＳＡＦ）から読み出し、符号化復号化部１０（ＤＲ）で画像データ（画情報）を復号化する。そして、復号化した画像データをシステムメモリ２上のラインバッファ（ＬＢ）にセットする。ここで、読出専用メモリ５上にあるキャラクタ発生装置（ＣＧＲＯＭ）からフォントを読み出し、既にシステムメモリ２上のラインバッファに格納されている生画像データと合成する。合成した画像データを符号化復号化部１０（ＤＣ）で再び圧縮し、システムメモリ２内のＥＣＭバッファに送り、Ｇ３ＦＡＸモデム８（モデム）を介して網制御部７（ＮＣＵ）から圧縮画像データとして回線に送出する。
【００３０】
次に、図示は省略するが、直接送信時のデータバスについて説明する。直接送信時は、スキャンした生画像データを一度、画像メモリ９に蓄積する。ただし、メモリ送信時の手順である「画像メモリ９を読み出して、符号化復号化部１０によって読み出した圧縮画像データを復号化し、システムメモリ２上のラインバッファにセットする」という手順は行わない。すなわち、直接送信時には、符号化復号化部１０に生画像データを入れずに、読出専用メモリ５上にあるキャラクタ発生装置からの生画像データとスキャンにより得られた生画像データとを合成して符号化復号化部１０に供給する。
【００３１】
このように、直接送信時にはシステムメモリ２上のラインバッファに対して、読出専用メモリ５上にあるキャラクタ発生装置からフォントを読み出し、既にシステムメモリ２上のラインバッファにある生画像データと合成する。合成した画情報は、符号化復号化部１０で再び圧縮し、システムメモリ２内のＥＣＭバッファに送り、Ｇ３ＦＡＸモデム８を介して網制御部７から圧縮画像データとして回線に送出する。
【００３２】
ここで、自局番号関連の登録について説明する。
【００３３】
システム制御部１は、読出専用メモリ５から読み出したプログラムに従って、操作表示部１１からの入力データ（操作表示部１１を通じて入力されたデータ）を取り込む。システム制御部１は、ファクシミリ装置のＬＣＤに情報を表示し、この情報に対するユーザの選択、入力、誘導などを促すと共に、表示された情報に対するユーザの入力データを書込可能不揮発メモリ６に書き込む。
【００３４】
書込可能不揮発メモリ６に登録する内容としては、上述した自局番号、ＣＳＩ、Ｇ４ＴＩＤ、加入者番号などが挙げられる。以下、ＴＴＩ登録、自局番号登録、ＣＳＩ登録、Ｇ４ＴＩＤ登録、加入者番号登録の登録処理手順について説明する。
【００３５】
図４は、自局番号登録の流れを示す図であり、操作表示部１１に表示される表示画面を各ステップとして順に示している。システム制御部１によって表示される自局番号登録画面としての中継結果レポート設定画面において、ユーザが「１．Ｇ３ＦＡＸ番号（Ｇ３）」を選択すると（ステップ４１）、Ｇ３ＦＡＸ番号入力画面、すなわち自局のＦＡＸ番号を入力する画面が表示される（ステップ４２）。ここで、「取消」を選択すると、０桁のために無効となり自局番号登録をすることができない（ステップ４３）。ユーザが、例えば、００１（国際プリフィクス）８１（国番号）３（０を除いた市外局番）−（ポーズ）１２３４５６７８（加入者番号）が自局番号として入力し、「設定」を選択すると、自局番号登録完了となる（ステップ４４）。
【００３６】
図５は、ＣＳＩ登録の流れを示す図であり、操作表示部１１に表示される表示画面を各ステップとして順に示している。システム制御部１によって表示されるＣＳＩ登録としてのＧ３アナログ回線登録画面において、ユーザが「１．ＣＳＩ登録」を選択すると（ステップ５１）、ＣＳＩ登録画面が表示される（ステップ５２）。ＣＳＩ登録画面は、ファクシミリ装置の識別番号を入力するための画面である。ユーザが「取消」を選択すると、０桁のために無効となり、ＣＳＩ登録を行うことができない（ステップ５３）。ユーザが、例えば、８１（国番号）３（０を除いた市外局番）１２３４５６７８（加入者番号）をＣＳＩ登録の番号として入力し、「設定」を選択すると、ＣＳＩ登録が完了する（ステップ５４）。
【００３７】
図６は、Ｇ４ＴＩＤ登録の流れを示す図であり、操作表示部１１に表示される表示画面を各ステップとして順に示している。システム制御部１によって表示されるＧ４ＴＩＤ登録としてのＧ４ディジタル回線登録画面において、ユーザが「４．ＴＩＤ登録」を選択すると（ステップ６１）、ＴＩＤ登録画面が表示される（ステップ６２）。ＴＩＤ登録画面において「１．国コード」が選択されると、国コード登録画面が表示される（ステップ６３）。ユーザがここで「取消」を選択すると、０桁のために無効となり、ＴＩＤ登録としての国コードを登録することができない（ステップ６４）。一方、ユーザが、国コードとして８１（国番号）を入力し、「設定」を選択すると（ステップ６５）、ステップ６２のＴＩＤ登録画面が再び表示される（ステップ６６）。
【００３８】
次に、ユーザが「２．自局番号」を選択すると（ステップ６６）、自局番号登録画面が表示される（ステップ６７）。自局番号登録画面においてユーザが「取消」を選択すると、０桁のために無効となり、ＴＩＤ登録としての自局番号を登録することができない（ステップ６８）。一方、ユーザが、自局番号として３１２３４５６７８（０を除いた市外局番＋加入者番号）を入力し、「設定」を選択すると（ステップ６９）、ステップ６２のＴＩＤ登録画面が再び表示される（ステップ７０）。ＴＩＤ登録画面において「３．端末略称」が選択されると、端末略称入力画面が表示される（ステップ７１）。ここで、ユーザが何も入力しない場合、０桁のために無効となり、ＴＩＤ登録としての端末略称を登録することができない（ステップ７２）。一方、ユーザが、例えば、ＡＯＹＡＭＡを端末略称として入力し、「設定」を選択すると、Ｇ４ＴＩＤ登録が完了する（ステップ７３）。
【００３９】
図７は、加入者番号登録の流れを示す図であり、操作表示部１１に表示される表示画面を各ステップとして順に示している。システム制御部１によって表示される加入者番号登録としてのＧ４ディジタル回線登録画面において、ユーザが「１．ＦＡＸ番号１登録」を選択すると（ステップ７０１）、ＦＡＸ番号１登録画面、すなわち自局のＦＡＸ番号を入力する画面が表示される（ステップ７０２）。ここで、ユーザが「取消」を選択すると、０桁のために無効となり、加入者番号登録をすることができない（ステップ７０３）。ユーザが、例えば、０３（市外局番）−（ポーズ）１２３４５６７８（加入者番号）を入力し、「設定」を選択すると、加入者番号登録が完了する（ステップ７０４）。
【００４０】
次に、ＴＴＩ登録について説明する。図８は、ＴＴＩ登録の流れを示す図であり、操作表示部１１に表示される表示画面を各ステップとして順に示している。本実施の形態のファクシミリ装置では、自局番号を含めて３２桁がＴＴＩ印字の最大桁数として設定されているものとする。なお、ＴＴＩ印字とは、送信のときに相手先の用紙に送信側ファクシミリ装置の情報を埋め込んで送信する機能のことをいう。また、図８では、ＴＴＩに自局番号としての数字が入っているものとして説明する。
【００４１】
システム制御部１によって表示されるＲＴＩ／ＴＴＩ登録画面において、ユーザがＴＴＩキーを選択すると（ステップ８１）、既に登録されているＴＴＩが表示される（ステップ８２）。なお、ＴＴＩキー（ＴＴＩ登録キー）を選択することにより、ＴＴＩ登録画面に既に登録されているＴＴＩが表示されるが、図８では初めてＴＴＩ登録する場合について示している。
【００４２】
ＴＴＩとして３２まで桁登録できるので、例えば、ユーザが「ＡＢＣＤＥ  ＡＯＹＡＭＡ」の１２桁を入力し、「設定」を選択すると（ステップ８３）、自局番号と判断できる数字がないので、「自局番号を含めてください」というメッセージの入力画面が表示される（ステップ８４）。ここで、ユーザが自局番号の「００１８１３−１２３４５６７８」を追加入力し、「設定」を選択すると（ステップ８５）、ＴＴＩとして数字が存在するので、ＴＴＩに「ＡＢＣＤＥ  ＡＯＹＡＭＡ００１８１３−１２３４５６７８」を組み込んで登録することができる（ステップ８６）。
【００４３】
以上のように、本実施の形態では、ＴＴＩ登録時に数字が入力されているかについて確認し、数字が入力されていなければ登録できないようにすることができる。また、登録する自局番号はユーザ入力によるが、すでに数字が入力されている場合には自局番号が入っていると判断される。これにより、自局番号が設定されていないという場合が起こることがなく、認可条件設定上の不具合を防止することができる。
【００４４】
次に、既に登録してある自局番号をＴＴＩに組み込む処理について説明する。
【００４５】
図９は、ＴＴＩ登録として自局番号を利用する場合の流れを示した図であり、操作表示部１１に表示される表示画面を各ステップとして順に示している。ここでは、図４に示す処理手順で既に登録した自局番号を利用する。システム制御部１によって表示されるＲＴＩ／ＴＴＩ登録画面において、ユーザがＴＴＩキー（ＴＴＩ登録キー）を選択すると（ステップ９１）、既に登録されている自局番号「００１８１３−１２３４５６７８」が含まれたＴＴＩが表示される（ステップ９２）。なお、内部的には、自局番号のデータとＴＴＩは分離して記憶されているものとする。
【００４６】
ＴＴＩ登録画面において、ＴＴＩ登録の最大桁数は３２桁であるが、すでに自局番号として１５桁が登録されているので、ＴＴＩ登録可能桁数は残りの１７桁となる。例えば、「ＡＢＣＤＥ  ＡＯＹＡＭＡ」の１２桁が入力され、「設定」が選択されると（ステップ９３）、ＴＴＩ登録として数字が存在するので、ＴＴＩ登録として「ＡＢＣＤＥ  ＡＯＹＡＭＡ００１８１３−１２３４５６７８」の合計２７桁（１２桁＋１５桁）の情報を登録することができる（ステップ９４）。なお、自局番号は３２桁の最後に表示するものとする。
【００４７】
なお、内部的にはＴＴＩと自局番号とは別々に記憶されているものとする。ＴＴＩと自局番号を分離するのは、ＴＴＩ登録のあとで再び自局番号を設定するときに、自局番号の桁数とＴＴＩの桁数を３２桁以内にするように自局番号の登録も桁数制限をする必要があるためである。
【００４８】
以上のように、本実施の形態では、別途入力する自局番号をＴＴＩ登録に必須のものとし、ＴＴＩに自局番号を強制的に設定し、残りの文字数（桁数）のみユーザに入力させるようにすることができる。このように自局番号を強制的にＴＴＩに組み込むので、ＴＴＩに必ず自局番号が入ることになり、自局番号が設定されていないという場合がなく、認可条件に対応した設定上の不具合を防止することができる。
【００４９】
次に、ＴＴＩに既に登録してあるＣＳＩを含める処理について説明する。
【００５０】
図１０は、ＴＴＩ登録としてＣＳＩを利用する場合の流れを示した図であり、操作表示部１１に表示される表示画面を各ステップとして順に示している。ここでは、図５の処理手順で既に登録したＣＳＩを利用する。システム制御部１によって表示されるＲＴＩ／ＴＴＩ登録画面において、ユーザがＴＴＩキー（ＴＴＩ登録キー）を選択すると（ステップ１０１）、既に登録されているＣＳＩ「８１３１２３４５６７８」を含めた状態のＴＴＩが表示される（ステップ１０２）。なお、内部的には、ＣＳＩのデータはＴＴＩから分離して記憶されているものとする。ＴＴＩ登録画面において、ＴＴＩ登録の最大桁数は３２桁であるが、すでにＣＳＩの桁数である１１桁が登録されているので、ＴＴＩ登録可能な桁数は残りの２１桁だけとなる。例えば、「ＡＢＣＤＥ  ＡＯＹＡＭＡ」の１２桁が入力され、「設定」が選択されると（ステップ１０３）、ＴＴＩ登録として数字が存在するので、ＴＴＩ登録として「ＡＢＣＤＥ  ＡＯＹＡＭＡ８１３１２３４５６７８」の合計２３桁（１２桁＋１１桁）を登録することができる（ステップ１０４）。なお、ＣＳＩは、３２桁の最後に表示するものとする。
【００５１】
なお、内部的にはＴＴＩとＣＳＩは別々に記憶されているものとする。ＴＴＩとＣＳＩを分離するのは、ＴＴＩ登録のあとで再びＣＳＩを設定するときに、ＣＳＩの桁数とＴＴＩの桁数を３２桁以内にするようにＣＳＩの登録も桁数制限をする必要があるためである。
【００５２】
以上のように、本実施の形態では、別途入力するＣＳＩをＴＴＩ登録に必須のものとし、ＣＳＩを強制的にＴＴＩに設定し、残りの文字数のみユーザに入力させるようにすることができる。このように強制的にＣＳＩをＴＴＩに組み込むので、ＴＴＩに必ずＣＳＩが入ることになり、設定されていないという場合がなく、認可条件設定上の不具合を防止することができる。
【００５３】
次に、ＴＴＩに既に登録してあるＧ４ＴＩＤを含める処理について説明する。図１１は、ＴＴＩ登録としてＧ４ＴＩＤを利用する場合の流れを示した図であり、操作表示部１１に表示される表示画面を各ステップとして順に示している。ここでは、図６の処理手順で既に登録したＧ４ＴＩＤを利用する。システム制御部１によって表示されるＲＴＩ／ＴＴＩ登録画面において、ユーザがＴＴＩキー（ＴＴＩ登録ボタン）を選択すると（ステップ１１０）、既に登録されているＧ４ＴＩＤ「８１３１２３４５６７８」を含めた状態のＴＴＩが表示される（ステップ１１１）。なお、内部的には、Ｇ４ＴＩＤのデータはＴＴＩから分離して記憶されているものとする。Ｇ４ＴＩＤの桁数は、「８１３１２３４５６７８」の他に図６で説明したような国コード、自局番号の区切りである「−」、自局番号と端末略号の区切り「＝」を含み、合計１９桁となる。ＴＴＩ登録画面において、ＴＴＩ登録の最大桁数は３２桁であるが、すでにＧ４ＴＩＤ桁数１９桁が登録されているので、ＴＴＩ登録可能桁数は残りの１３桁だけである。
【００５４】
例えば、「ＡＢＣＤＥ ＡＯＹＡＭＡ」の１２桁が入力され、「設定」が選択されると（ステップ１１２）、ＴＴＩ登録として数字が存在するので、ＴＴＩ登録として「ＡＢＣＤＥ  ＡＯＹＡＭＡ８１−３１２３４５６７８＝ＡＯＹＡＭＡ」の合計３１桁（１２桁＋１９桁）を登録することができる（ステップ１１３）。なお、Ｇ４ＴＩＤは、３２桁の最後に表示するものとする。なお、内部的にはＴＴＩとＧ４ＴＩＤは別に記憶されているものとする。ＴＴＩとＧ４ＴＩＤを分離するのは、ＴＴＩ登録のあとで再びＧ４ＴＩＤを設定するときに、Ｇ４ＴＩＤの桁数とＴＴＩの桁数を３２桁以内にするようにＧ４ＴＩＤの登録も桁数制限をする必要があるためである。
【００５５】
以上のように、本実施の形態では、別途入力するＧ４ＴＩＤをＴＴＩ登録に必須のものとし、Ｇ４ＴＩＤを強制的にＴＴＩに設定し、残りの文字数のみユーザに入力させるようにすることができる。このように強制的にＧ４ＴＩＤをＴＴＩに組み込むので、ＴＴＩに必ずＧ４ＴＩＤが入ることになり、設定されていない場合がなく、認可条件設定上の不具合を防止することができる。
【００５６】
次に、ＴＴＩに既に登録してある加入者番号を含める処理について説明する。
【００５７】
図１２は、ＴＴＩ登録として加入者番号を利用する場合の流れを示した図であり、操作表示部１１に表示される表示画面を各ステップとして順に示している。ここでは、図７の処理手順で既に登録した加入者番号を利用する。システム制御部１によって表示されるＲＴＩ／ＴＴＩ登録画面において、ユーザがＴＴＩキー（ＴＴＩ登録キー）を選択すると（ステップ１２０）、既に登録されている加入者番号「０３１２３４５６７８」を含めた状態のＴＴＩが表示される（ステップ１２１）。なお、内部的には、自局番号のデータはＴＴＩから分離して記憶されているものとする。ＴＴＩ登録画面において、ＴＴＩ登録の最大桁数は３２桁であるが、すでに加入者番号桁数１０桁が登録されているので、ＴＴＩ登録可能桁数は残りの２２桁だけである。
【００５８】
例えば、「ＡＢＣＤＥ  ＡＯＹＡＭＡ」の１２桁が入力され、「設定」が選択されると（ステップ１２２）、ＴＴＩ登録として数字が存在するので、ＴＴＩ登録として「ＡＢＣＤＥ  ＡＯＹＡＭＡ０３１２３４５６７８」の合計２２桁（１２桁＋１０桁）を登録することができる（ステップ１２３）。なお、加入者番号は、３２桁の最後に表示するものとする。なお、内部的にはＴＴＩと加入者番号は別に記憶されているものとする。ＴＴＩと加入者番号を分離するのは、ＴＴＩ登録のあとで再び加入者番号を設定するときに、加入者番号の桁数とＴＴＩの桁数を３２桁以内にするように加入者番号の登録も桁数制限をする必要があるためである。
【００５９】
以上のように、本実施の形態では、別途入力する加入者番号をＴＴＩ登録に必須のものとし、加入者番号を強制的にＴＴＩに設定し、残りの文字数のみユーザに入力させるようにすることができる。このように強制的に加入者番号をＴＴＩに組み込むので、ＴＴＩに必ず加入者番号が入ることになり、設定されていない場合がなく、認可条件設定上の不具合を防止することができる。
【００６０】
【発明の効果】
請求項１及び２記載の発明によれば、自局番号（数字）が含まれている情報の入力をユーザに促し、数字が含まれた場合に自局番号として判断するので、自局番号を設定しないということを防止することができる。
【図面の簡単な説明】
【図１】本実施の形態に係るファクシミリ装置の概略構成を示したブロック図である。
【図２】自局番号として登録可能となる各情報を接続回線に応じて示した図である。
【図３】メモリ送信のデータバスでの画像データの流れを示した図である。
【図４】自局番号登録の流れを示した図である。
【図５】ＣＳＩ登録の流れを示した図である。
【図６】Ｇ４ＴＩＤ登録の流れを示した図である。
【図７】加入者番号登録の流れを示した図である。
【図８】ＴＴＩ登録の流れを示した図である。
【図９】ＴＴＩ登録として自局番号を利用する場合の流れを示した図である。
【図１０】ＴＴＩ登録としてＣＳＩを利用する場合の流れを示した図である。
【図１１】ＴＴＩ登録としてＧ４ＴＩＤを利用する場合の流れを示した図である。
【図１２】ＴＴＩ登録として加入者番号を利用する場合の流れを示した図である。
【符号の説明】
１  システム制御部
２  システムメモリ（ＤＲＡＭ）
３  スキャナ
４  プロッタ
５  読出専用メモリ（ＲＯＭ）
６  書込可能不揮発メモリ（ＳＲＡＭ）
７  網制御部
８  Ｇ３ＦＡＸモデム
９  画像メモリ
１０  符号化復号化部
１１  操作表示部
【図１】
0004093816.tif 000002
【図２】
0004093816.tif 000003
【図３】
0004093816.tif 000004
【図４】
0004093816.tif 000005
【図５】
0004093816.tif 000006
【図６】
0004093816.tif 000007
【図７】
0004093816.tif 000008
【図８】
0004093816.tif 000009
【図９】
0004093816.tif 000010
【図１０】
0004093816.tif 000011
【図１１】
0004093816.tif 000012
【図１２】
0004093816.tif 000013